(57)【要約】本発明の物理的表面に仮想的に絵を描くシステム（１３，１５）は電気回路であって、電気回路は、物理的表面における物理的オブジェクトの動きを検出し、物理的表面における動きに対応する絵（１１）を投影する、電気回路を有する。本発明のコンピュータプログラムは、プログラム可能装置が本発明のシステムとして機能することを可能にする。
2010505462.tif 000002
【特許請求の範囲】
【請求項１】
電気回路を有する物理的表面に仮想的に絵を描くシステムであって、前記電気回路は：
前記物理的表面における物理的オブジェクトの動きを検出し；
前記物理的表面における前記動きに対応する絵を投影する；
ように動作可能である、システム。
【請求項２】
請求項１に記載のシステムであって、物理的オブジェクトを入れておくためのバケットを有する、システム。
【請求項３】
請求項２に記載のシステムであって、前記バケットは、前記物理的表面に前記絵を投影する投影器を有する、システム。
【請求項４】
請求項３に記載のシステムであって、前記投影器はレーザ投影器を有する、システム。
【請求項５】
請求項２に記載のシステムであって、前記バケットは、前記バケット内で物理的オブジェクトにより実行される、かき回すジェスチャを検出する複数のセンサを有し、前記電気回路は、色が選択された後に実行される動きに対応する絵を投影する色を選択するように動作可能である、システム。
【請求項６】
請求項１に記載のシステムであって、前記絵が現在、投影されている物理的表面の位置を決定する手段と、前記位置に関連する絵を記憶する及び検索するためのメモリと、を有する、システム。
【請求項７】
請求項１に記載のシステムであって、前記電気回路は、前記絵が動くように動作可能である、システム。
【請求項８】
プログラム可能装置が請求項１に記載のシステムとして機能することを可能にするコンピュータプログラム。
【発明の詳細な説明】
【技術分野】
【０００１】
本発明は、物理的表面に絵を仮想的に描くシステムであって、電子回路を有する、システムに関する。
【０００２】
本発明は、プログラマブル装置が物理的表面に仮想的に絵を描くシステムとして機能することを可能にするコンピュータプログラムに更に関する。
【背景技術】
【０００３】
子供は、ときどき、実際の絵を描く道具で家の壁に絵を描くことを許容されるが、それらの絵は、しばしば、消すことが困難であり、壁を塗り替えることさえ、必要になる。特定の情報携帯端末（ＰＤＡ）は、ユーザがペンを用いてタッチスクリーンに絵を描くことを可能にするが、これは、幼い子供を楽しませるには適さない。
【発明の概要】
【発明が解決しようとする課題】
【０００４】
本発明の目的は、幼い子供をより楽しくさせる、物理的表面に仮想的に絵を描くシステムを提供することである。
【課題を解決するための手段】
【０００５】
本発明に従って、その目的は、電気回路が、物理的表面における物理的オブジェクトの動きを検出して、物理的表面における動きに対応する、ペインティングとも呼ばれる絵を投影するように動作可能であるように、実現される。例えば、壁に絵を投影することにより、大きい絵の領域が得られ、それ故、例えば、実際の絵筆に似た物理的オブジェクトはまた、相対的に大きくなることが可能である。物理的オブジェクトの動きを、例えば、カメラを用いることにより、検出することが可能である。電気回路は、捕捉される画像において物理的オブジェクトの形状及び／又は色を認識することがまた、可能である。例えば、“消す”色を選択することにより同じ物理的オブジェクトを用いて、又は、例えば、“消去ツール”と呼ばれる専用の物理的オブジェクトを用いて、消去を行うことが可能である。
【０００６】
実施形態においては、本発明のシステムは、物理的オブジェクトを入れておくバケットを有する。この物理的オブジェクトは、絵筆に似たものであることが可能であり、バケットは、ペイントバケットに似たものであることが可能である。
【０００７】
バケットは、物理的表面に絵を投影する投影器を有することが可能である。その投影器は、好適には、可搬型である。その投影器をバケットと一体化することにより、機能性及び娯楽性を組み合わせることが可能である。
【０００８】
投影器は、レーザ投影器を有することが可能である。この種の投影器は、急峻な角度で機能することができるものである。
【０００９】
バケットは、バケット内を物理的オブジェクトで実行する、かき回すジェスチャを検出する複数のセンサを有することが可能であり、電気回路は、色が選択された後に実行される動きに対応して絵を投影するために、色を選択するように動作可能である。このことは、仮想的絵筆の色を変化させる、容易な且つ娯楽性の高い方法を提供する。バケット及び／又は絵筆の色は、適宜に変化することが可能である。
【００１０】
そのシステムは、絵が現在、投影されている物理的表面の位置を決定する手段と、その位置に関連する絵を記憶する及び検出するためのメモリとを有することが可能である。例えば、バケットは、台所で描かれた絵を記憶していることが可能であり、バケットがまた、台所で再び、用いられるときの最後の絵を表す（仮想グラフィティのように）。その位置は、ＧＰＳ受信器を用いて、決定可能であるが、ＧＰＳは家の中ではうまく機能しないために、宅内ビーコンが、好適に用いられる。
【００１１】
電気回路は、絵が動くように、動作可能にする。動画は、システム内に記憶されることが可能であり、絵が所定の形状に十分に似ているとすぐ、トリガされることが可能である。例えば、“ワンド”と呼ばれる専用の物理的オブジェクトは、絵が専用の物理的オブジェクトに接するとき、動画をトリガするように用いられる。
【００１２】
本発明の上記の及び他の特徴については、例示として、図を参照して更に明らかになり、理解することができる。
【図面の簡単な説明】
【００１３】
【図１】本発明の方法のフロー図である。
【図２】本発明のシステムの実施形態を示す図である。
【図３】図２の実施形態のブロック図である。
【発明を実施するための形態】
【００１４】
図１を参照するに、本発明の方法は２つのステップを有する。ステップ１は、物理表面における動きに対応する画像を投影することを有する。
【００１５】
図２は、投影器１５を有するバケット１３を有する、本発明のシステムの実施形態を示している。投影器１５は、壁に画像を投影する。絵を描くことを開始するように、子供は、彼が絵を描きたい壁の前にペイントバケット（道具全てをしまうこともできる）を置く。そうすることにより、バケットに組み込まれているレーザビーマが、壁に画像を投影することができる。子供は、そのとき、バケット及び道具をアクティブにするように、バケットから道具全てを取り出す。バケットの内部は、用いられた最後の色になる。
【００１６】
ブラシを取り出すことにより、そのブラシがアクティブになり、光を発する。そのブラシをバケットに入れることにより、ブラシは、その色を、バケットと同じ色に変化する。子供が壁に絵を描くことを開始するとき、絵を描く色はブラシの色と同じ色になる。
【００１７】
子供が描いた絵が好きでない場合、彼は、取り出したときに白色光を発するイレイサを取り出し、壁上の絵を消し始める。消している間、イレイサは、光の強度を変えることにより、移動速度に達する。子供がイレイサにより消しているとき、イレイサは、ゆっくりと暗くなり、色が白色光に戻るようする。
【００１８】
絵を描く色を変えるように、子供は、ブラシを取り上げ、それをバケットに入れて、かき回す。バケット（及び、ブラシ）の色は、時計回り及び反時計回りにかき回している間に、変化する。一旦、好みの色が見つかると、子供は、壁に新しい色で絵を描き始める。
【００１９】
絵を描く色を変える他の方法は、バケットに色のついた物体を入れることである。バケットの色は、そのとき、その物体の色に変わる。
【００２０】
子供が絵に活気を与えたい場合、彼はワンドを取り上げる。そのワンドは大きくなる。彼が、そのワンドを絵に対して軽く叩くとき、彼は、まさにその絵を描くことを開始し、その絵の選択を示すように僅かに移動させる。軽く叩いた後、彼は、ワンドに音を出すことを可能にし、そのことは、そのワンドが記録していることを示すように、光をパルス化する。子供は、そのとき、絵を再び、軽く叩き、その絵は動き始め、記録されている音を出す。
【００２１】
絵を描き終わったとき、子供は、道具全てをバケットにしまい、そうすることにより、ツール全てが非アクティブになり、その絵はゆっくり消える。
【００２２】
次の物体が、この実施形態において利用可能である（他の実施形態は、異なる物体を有することが可能である）。
●  ペイントバケット
このペイントバケットは、内部にＬＥＤを有する無線のディジタルペイントバケットである。“ブラシ”でバケット内をかき回すことにより、ＬＥＤの色を変えることができる。バケット内に色付きの物体を入れることにより、ＬＥＤの色がまた、変わる。
●  ブラシ
このブラシは、内部にＬＥＤを有する小さい無線のディジタルペイントブラシである。そのブラシを取り上げることにより、そのブラシは大きくなり始める。このブラシをバケット内に入れることにより、ブラシは、バケットの色を発する。この道具は、そのとき、壁に絵を描くように用いられる。その“ブラシ”でバケット内をかき回すことにより、ＬＥＤの色を変えることができる。
●  ワンド
このワンドは、内部にＬＥＤを有する小さい無線マジックワンドである。そのワンドは、“絵に活気を与える”ように用いられる。そのワンドを取り上げることにより、それは大きくなる。絵を軽く叩くことにより、ワンドは、音を記録することができることを示すように、ＬＥＤをパルス化し始める。子供は、そのとき、ワンドに対して音声を出すことができ、そして再び絵を軽く叩くことにより、絵は動き始め、記録されている音声を出すことができる。
●  イレイサ
このイレイサは、内部にＬＥＤを有する小さい無線ディジタルイレイサである。そのイレイサを取り上げることにより、それは大きくなる。イレイサを壁において移動させることにより、子供は絵を消すことができる。絵を消す速度及び動きは、ＬＥＤの強度に影響する。その影響は、絵を消しているときに、フリッカとして現れる。
【００２３】
図３の物理的表面に仮想的に絵を描くシステム１３は電気回路２１を有する。電気回路２１は、物理的表面において物理的オブジェクト３１の動きを検出し、その物理的表面における動きに対応する絵を投影する。電気回路は、汎用の又はアプリケーションに専用のプロセッサを有することが可能である。システム１３は、壁において４つのセンサ３３を有するバケットである。センサ３３は、物理的オブジェクト３１の時計方向の反時計方向の動きを検出し、検出された動きに基づいて、色を変化させることが可能である。センサ３３はホールセンサであり、物理的オブジェクト３１は磁石を有することが可能である。
【００２４】
この実施形態においては、モジュール１５はバケットのエッジに取り付けられている。モジュール１５は電気回路３１を有する。電気回路２１は、投影器２３を制御し、カメラ２５から入力を受信する。カメラ２５に代えて、他の手段が、物理的オブジェクト３１の、即ち、仮想ペイントブラシの動きを検出するように用いられることが可能である。モジュール１５は、絵が現在投影されている物理的表面の位置を決定する手段２９と、その位置に関連する絵を記憶する及び検出するためのメモリ２７と、を有する。この特徴はまた、“仮想グラフィティ”と呼ばれる。
【００２５】
本発明については、好適な実施形態と関連付けて記載されているが、上記の概観した原理の範囲内で本発明の修正が可能であることが明らかであり、それ故、本発明は、それらの実施形態に限定されるものではなく、そのような修正を包含することを意図されていることを当業者は理解することができるであろう。本発明は、各々の及び全ての新規な特徴並びに各々の及び全ての複数の特徴の組み合わせを有する。用語“を有する”及びその派生表現を用いることは、請求項に記載されている要素以外の要素の存在を排除するものではない。要素の単数表現は、その要素の複数の存在を排除するものではない。
【００２６】
‘手段’は、当業者に明らかであるように、動作中に実行される、又は特定の機能を実行する、単独で又は他の機能と関連付けられる、分離して又は他の要素と協働するようにデザインされている何れかのハードウェア（別個の又は一体化された回路又は電気的要素）又はソフトウェアを有するものを意味する。本発明は、複数の別個の要素を有するハードウェアにより、そして適切にプログラムされたコンピュータにより実行されることが可能である。複数の手段を列挙している装置請求項においては、それらの手段の幾つかは、同一のハードウェアにより実施されることが可能である。‘コンピュータプログラム’は、インターネットのようなネットワークを介してダウンロード可能である、又は何れかの他の方法で市場性があるフロッピー（登録商標）ディスクのようなコンピュータ読み取り可能媒体に記憶されている何れかのソフトウェアを意味するとして理解することができる。
【図１】
2010505462.tif 000003
【図２】
2010505462.tif 000004
【図３】
2010505462.tif 000005
【手続補正書】
【提出日】平成21年4月7日(2009.4.7)
【手続補正１】
【補正対象書類名】明細書
【補正対象項目名】全文
【補正方法】変更
【補正の内容】
【発明の詳細な説明】
【技術分野】
【０００１】
本発明は、物理的表面に絵を仮想的に描くシステムであって、電子回路を有する、システムに関する。
【０００２】
本発明は、プログラマブル装置が物理的表面に仮想的に絵を描くシステムとして機能することを可能にするコンピュータプログラムプロダクトに更に関する。
【背景技術】
【０００３】
子供は、ときどき、実際の絵を描く道具で家の壁に絵を描くことを許容されるが、それらの絵は、しばしば、消すことが困難であり、壁を塗り替えることさえ、必要になる。特定の情報携帯端末（ＰＤＡ）は、ユーザがペンを用いてタッチスクリーンに絵を描くことを可能にするが、これは、幼い子供を楽しませるには適さない。
【発明の概要】
【発明が解決しようとする課題】
【０００４】
本発明の目的は、幼い子供をより楽しくさせる、物理的表面に仮想的に絵を描くシステムを提供することである。
【課題を解決するための手段】
【０００５】
本発明に従って、その目的は、電気回路が、物理的表面における物理的オブジェクトの動きを検出して、物理的表面における動きに対応する、ペインティングとも呼ばれる絵を投影するように動作可能であるように、実現される。例えば、壁に絵を投影することにより、大きい絵の領域が得られ、それ故、例えば、実際の絵筆に似た物理的オブジェクトはまた、相対的に大きくなることが可能である。物理的オブジェクトの動きを、例えば、カメラを用いることにより、検出することが可能である。電気回路は、捕捉される画像において物理的オブジェクトの形状及び／又は色を認識することがまた、可能である。例えば、“消す”色を選択することにより同じ物理的オブジェクトを用いて、又は、例えば、“消去ツール”と呼ばれる専用の物理的オブジェクトを用いて、消去を行うことが可能である。
【０００６】
本発明のシステムはまた、物理的オブジェクトを入れておくバケットを有する。この物理的オブジェクトは、絵筆に似たものであることが可能であり、バケットは、ペイントバケットに似たものであることが可能である。バケットは、バケット内で物理的オブジェクトにより実行されるかき回しジェスチャを検出する複数のセンサを有し、電気回路は、色が選択された後に実行される動きに対応して、絵を投影する色を選択するように動作可能である。これは、仮想的な絵筆の色を変化させる容易で、娯楽性の高い方法を提供する。その色は、時計方向及び反時計方法にかき回している間に変化することが可能である。バケット及び／又はペイントブラシの色は適宜に変化することが可能である。
【０００７】
バケットは、物理的表面に絵を投影する投影器を有することが可能である。その投影器は、好適には、可搬型である。その投影器をバケットと一体化することにより、機能性及び娯楽性を組み合わせることが可能である。
【０００８】
投影器は、レーザ投影器を有することが可能である。この種の投影器は、急峻な角度で機能することができるものである。
【０００９】
そのシステムは、絵が現在、投影されている物理的表面の位置を決定する手段と、その位置に関連する絵を記憶する及び検出するためのメモリとを有することが可能である。例えば、バケットは、台所で描かれた絵を記憶していることが可能であり、バケットがまた、台所で再び、用いられるときの最後の絵を表す（仮想グラフィティのように）。その位置は、ＧＰＳ受信器を用いて、決定可能であるが、ＧＰＳは家の中ではうまく機能しないために、宅内ビーコンが、好適に用いられる。
【００１０】
電気回路は、絵が動くように、動作可能にする。動画は、システム内に記憶されることが可能であり、絵が所定の形状に十分に似ているとすぐ、トリガされることが可能である。例えば、“ワンド”と呼ばれる専用の物理的オブジェクトは、絵が専用の物理的オブジェクトに接するとき、動画をトリガするように用いられる。
【００１１】
本発明の上記の及び他の特徴については、例示として、図を参照して更に明らかになり、理解することができる。
【図面の簡単な説明】
【００１２】
【図１】本発明の方法のフロー図である。
【図２】本発明のシステムの実施形態を示す図である。
【図３】図２の実施形態のブロック図である。
【発明を実施するための形態】
【００１３】
図１を参照するに、本発明の方法は２つのステップを有する。ステップ１は、物理表面における動きに対応する画像を投影することを有する。
【００１４】
図２は、投影器１５を有するバケット１３を有する、本発明のシステムの実施形態を示している。投影器１５は、壁に画像を投影する。絵を描くことを開始するように、子供は、彼が絵を描きたい壁の前にペイントバケット（道具全てをしまうこともできる）を置く。そうすることにより、バケットに組み込まれているレーザビーマが、壁に画像を投影することができる。子供は、そのとき、バケット及び道具をアクティブにするように、バケットから道具全てを取り出す。バケットの内部は、用いられた最後の色になる。
【００１５】
ブラシを取り出すことにより、そのブラシがアクティブになり、光を発する。そのブラシをバケットに入れることにより、ブラシは、その色を、バケットと同じ色に変化する。子供が壁に絵を描くことを開始するとき、絵を描く色はブラシの色と同じ色になる。
【００１６】
子供が描いた絵が好きでない場合、彼は、取り出したときに白色光を発するイレイサを取り出し、壁上の絵を消し始める。消している間、イレイサは、光の強度を変えることにより、移動速度に達する。子供がイレイサにより消しているとき、イレイサは、ゆっくりと暗くなり、色が白色光に戻るようする。
【００１７】
絵を描く色を変えるように、子供は、ブラシを取り上げ、それをバケットに入れて、かき回す。バケット（及び、ブラシ）の色は、時計回り及び反時計回りにかき回している間に、変化する。一旦、好みの色が見つかると、子供は、壁に新しい色で絵を描き始める。
【００１８】
絵を描く色を変える他の方法は、バケットに色のついた物体を入れることである。バケットの色は、そのとき、その物体の色に変わる。
【００１９】
子供が絵に活気を与えたい場合、彼はワンドを取り上げる。そのワンドは大きくなる。彼が、そのワンドを絵に対して軽く叩くとき、彼は、まさにその絵を描くことを開始し、その絵の選択を示すように僅かに移動させる。軽く叩いた後、彼は、ワンドに音を出すことを可能にし、そのことは、そのワンドが記録していることを示すように、光をパルス化する。子供は、そのとき、絵を再び、軽く叩き、その絵は動き始め、記録されている音を出す。
【００２０】
絵を描き終わったとき、子供は、道具全てをバケットにしまい、そうすることにより、ツール全てが非アクティブになり、その絵はゆっくり消える。
【００２１】
次の物体が、この実施形態において利用可能である（他の実施形態は、異なる物体を有することが可能である）。
●  ペイントバケット
このペイントバケットは、内部にＬＥＤを有する無線のディジタルペイントバケットである。“ブラシ”でバケット内をかき回すことにより、ＬＥＤの色を変えることができる。バケット内に色付きの物体を入れることにより、ＬＥＤの色がまた、変わる。
●  ブラシ
このブラシは、内部にＬＥＤを有する小さい無線のディジタルペイントブラシである。そのブラシを取り上げることにより、そのブラシは大きくなり始める。このブラシをバケット内に入れることにより、ブラシは、バケットの色を発する。この道具は、そのとき、壁に絵を描くように用いられる。その“ブラシ”でバケット内をかき回すことにより、ＬＥＤの色を変えることができる。
●  ワンド
このワンドは、内部にＬＥＤを有する小さい無線マジックワンドである。そのワンドは、“絵に活気を与える”ように用いられる。そのワンドを取り上げることにより、それは大きくなる。絵を軽く叩くことにより、ワンドは、音を記録することができることを示すように、ＬＥＤをパルス化し始める。子供は、そのとき、ワンドに対して音声を出すことができ、そして再び絵を軽く叩くことにより、絵は動き始め、記録されている音声を出すことができる。
●  イレイサ
このイレイサは、内部にＬＥＤを有する小さい無線ディジタルイレイサである。そのイレイサを取り上げることにより、それは大きくなる。イレイサを壁において移動させることにより、子供は絵を消すことができる。絵を消す速度及び動きは、ＬＥＤの強度に影響する。その影響は、絵を消しているときに、フリッカとして現れる。
【００２２】
図３の物理的表面に仮想的に絵を描くシステム１３は電気回路２１を有する。電気回路２１は、物理的表面において物理的オブジェクト３１の動きを検出し、その物理的表面における動きに対応する絵を投影する。電気回路は、汎用の又はアプリケーションに専用のプロセッサを有することが可能である。システム１３は、壁において４つのセンサ３３を有するバケットである。センサ３３は、物理的オブジェクト３１の時計方向の反時計方向の動きを検出し、検出された動きに基づいて、色を変化させることが可能である。センサ３３はホールセンサであり、物理的オブジェクト３１は磁石を有することが可能である。
【００２３】
この実施形態においては、モジュール１５はバケットのエッジに取り付けられている。モジュール１５は電気回路３１を有する。電気回路２１は、投影器２３を制御し、カメラ２５から入力を受信する。カメラ２５に代えて、他の手段が、物理的オブジェクト３１の、即ち、仮想ペイントブラシの動きを検出するように用いられることが可能である。モジュール１５は、絵が現在投影されている物理的表面の位置を決定する手段２９と、その位置に関連する絵を記憶する及び検出するためのメモリ２７と、を有する。この特徴はまた、“仮想グラフィティ”と呼ばれる。
【００２４】
本発明については、好適な実施形態と関連付けて記載されているが、上記の概観した原理の範囲内で本発明の修正が可能であることが明らかであり、それ故、本発明は、それらの実施形態に限定されるものではなく、そのような修正を包含することを意図されていることを当業者は理解することができるであろう。本発明は、各々の及び全ての新規な特徴並びに各々の及び全ての複数の特徴の組み合わせを有する。用語“を有する”及びその派生表現を用いることは、請求項に記載されている要素以外の要素の存在を排除するものではない。要素の単数表現は、その要素の複数の存在を排除するものではない。
【００２５】
‘手段’は、当業者に明らかであるように、動作中に実行される、又は特定の機能を実行する、単独で又は他の機能と関連付けられる、分離して又は他の要素と協働するようにデザインされている何れかのハードウェア（別個の又は一体化された回路又は電気的要素）又はソフトウェアを有するものを意味する。本発明は、複数の別個の要素を有するハードウェアにより、そして適切にプログラムされたコンピュータにより実行されることが可能である。複数の手段を列挙している装置請求項においては、それらの手段の幾つかは、同一のハードウェアにより実施されることが可能である。‘コンピュータプログラム’は、インターネットのようなネットワークを介してダウンロード可能である、又は何れかの他の方法で市場性があるフロッピー（登録商標）ディスクのようなコンピュータ読み取り可能媒体に記憶されている何れかのソフトウェアを意味するとして理解することができる。
【手続補正２】
【補正対象書類名】特許請求の範囲
【補正対象項目名】全文
【補正方法】変更
【補正の内容】
【特許請求の範囲】
【請求項１】
電気回路を有する物理的表面に仮想的に絵を描くシステムであって、前記電気回路は：
前記物理的表面における物理的オブジェクトの動きを検出し；
前記物理的表面における前記動きに対応する絵を投影する；
ように動作可能である、システムであり、
前記システムは、前記物理的オブジェクトをしまっておくバケットを更に有し、該バケットは、前記バケット内で前記物理的オブジェクトにより実行されるかき回しジェスチャを検出する複数のセンサを有し、前記電気回路は、色が選択された後に実行される動きに対応する絵を投影する前記色を選択するように動作可能である；
システム。
【請求項２】
請求項１に記載のシステムであって、前記バケットは、前記物理的表面に前記絵を投影する投影器を有する、システム。
【請求項３】
請求項２に記載のシステムであって、前記投影器はレーザ投影器を有する、システム。
【請求項４】
請求項１に記載のシステムであって、前記絵が現在、投影されている物理的表面の位置を決定する手段と、前記位置に関連する絵を記憶する及び検索するためのメモリと、を有する、システム。
【請求項５】
請求項１に記載のシステムであって、前記電気回路は、前記絵が動くように動作可能である、システム。
【請求項６】
プログラム可能装置が請求項１に記載のシステムとして機能することを可能にするコンピュータプログラム。
【国際調査報告】
2010505462.tif 000006
2010505462.tif 000007